(57)【要約】【課題】  指針駆動手段の回転を磁力を用いて指針に伝達する指針計器装置において、指針キャップを小型化が可能で、また、指針キャップの形状の自由度を向上させることが可能な指針駆動装置を提供。【解決手段】  指針２と、指針２を駆動する駆動装置であるステッピングモータ３とを備えた指針式計器装置１において、指針２を回転可能に指示する支持軸５と、支持軸５を保持する保持部材である透明板６と、指針２の指示部に設けた第１の磁石２ｅと、第１の磁石２ｅの回転軌道に沿いステッピングモータ３によって移動可能に設けた第２の磁石３ｃと、を備え、第１の磁石２ｅと第２の磁石３ｃとの吸引力によって指針２を回動させるものである。【選択図】  図２
2008249504.tif 000002
【特許請求の範囲】
【請求項１】
指針と、前記指針を駆動する駆動装置とを備えた指針式計器装置において、
前記指針を回転可能に指示する支持軸と、前記支持軸を保持する保持部材と、前記指針の指示部に設けた第１の磁石と、前記第１の磁石の回転軌道に沿い前記駆動装置によって移動可能に設けた第２の磁石と、を備え、前記第１の磁石と前記第２の磁石との吸引力によって前記指針を回動させることを特徴とする指針式計器装置。
【請求項２】
指針と、前記指針を駆動する駆動装置とを備えた指針式計器装置において、
前記指針を回転可能に指示する支持軸と、前記支持軸を保持する保持部材と、前記支持軸をはさんで前記指針の指示部の反対側に設けた第１の磁石と、前記第１の磁石の回転軌道に沿い前記駆動装置によって移動可能に設けた第２の磁石と、を備え、前記第１の磁石と前記第２の磁石との吸引力によって前記指針を回動させることを特徴とする指針式計器装置。
【請求項３】
前記駆動装置によって回転する保持体を設け、前記保持体に前記第２の磁石を設けたことを特徴とする請求項１または２に記載の指針式計器装置。
【請求項４】
前記第１の磁石の回転軌道に沿って筒を設け、前記筒内に前記駆動装置によって移動可能な移動体を設け、前記移動体に前記第２の磁石を設けたことを特徴とする請求項１または２に記載の指針式計器装置。
【発明の詳細な説明】
【技術分野】
【０００１】
本発明は、例えば車両用計器等に用いられる指針式計器装置に関する。
【背景技術】
【０００２】
従来の指針式計器装置は、指針と、この指針を回動させる指針駆動手段であるステッピングモータとを備え、前記指針の回転中心に位置する指針キャップ内に第１の磁石を設けるとともに、前記ステッピングモータの回転軸に第２の磁石を設け、前記ステッピングモータの回転軸に固定された前記第２の磁石の回動に伴って磁力によって、前記指針を回動させるものであった。（特許文献１参照）
【特許文献１】特開２００３−１６１６５０号公報
【発明の開示】
【発明が解決しようとする課題】
【０００３】
しかしながら、特許文献１に記載の指針式計器装置においては、円形をした前記指針キャップ内に第１の磁石を収納しているので、前記指針キャップが大きく見栄えがよくないという問題点があった。また、前記指針キャップの形状が円形であり、指針キャップの形状の自由度が制限されるという問題点もあった。
【０００４】
そこで、本発明は、指針駆動手段の回転を磁力を用いて指針に伝達する指針計器装置において、指針キャップを小型化が可能で、また、指針キャップの形状の自由度を向上させることが可能な指針駆動装置を提供するものである。
【課題を解決するための手段】
【０００５】
本発明は、指針と、前記指針を駆動する駆動装置とを備えたメータ構造において、前記指針を回転可能に指示する支持軸と、前記支持軸を保持する保持部材と、前記指針の指示部に設けた第１の磁石と、前記第１の磁石の回転軌道に沿い前記駆動装置によって移動可能に設けた第２の磁石と、を備え、前記第１の磁石と前記第２の磁石との吸引力によって前記指針を回動させるものである。
【０００６】
また、指針と、前記指針を駆動する駆動装置とを備えた指針式計器装置において、前記指針を回転可能に指示する支持軸と、前記支持軸を保持する保持部材と、前記支持軸をはさんで前記指針の指示部の反対側に設けた第１の磁石と、前記第１の磁石の回転軌道に沿い前記駆動装置によって移動可能に設けた第２の磁石と、を備え、前記第１の磁石と前記第２の磁石との吸引力によって前記指針を回動させるものである。
【０００７】
また、前記駆動装置によって回転する保持体を設け、前記保持体に前記第２の磁石を設けたものである。
【０００８】
また、前記第１の磁石の回転軌道に沿って筒を設け、前記筒内に前記駆動装置によって移動可能な移動体を設け、前記移動体に前記第２の磁石を設けたものである。
【発明の効果】
【０００９】
本発明によれば、所期の目的を達成でき、指針駆動手段の回転を磁力を用いて指針に伝達する指針計器装置において、指針キャップを小型化が可能で、また、指針キャップの形状の自由度を向上させることが可能な指針駆動装置を提供することができる。
【発明を実施するための最良の形態】
【００１０】
以下、添付図面に基づいて本発明の第１実施形態を説明する。本実施形態の指針式計器装置１は車両用の計器装置であり、表示する項目としては、指針２にて車両の速度を指示するものである。
【００１１】
指針式計器装置１は、指針２と、駆動装置３及び表示器４とで、主に構成されている。主な構成部品の他に、指針２を回転可能に支持する支持軸５を備えた保持部材６と、駆動装置３を支持する回路基板７とを備えている。
【００１２】
指針２は、透明な合成樹脂ならなる指示部本体２ａと、指針２の回転中心を覆い隠す指針キャップ２ｂと、指示部本体２ａの側面と下面とを覆う指示部カバー２ｃと、指針２を支持軸５に回転可能に支持する軸受２ｄと、第１の磁石２ｅで構成されている。
【００１３】
指示部本体２ａは、指針キャップ２ｂで覆われるボス部２ｆを備えている。ボス部２ｆは指示部本体２ａと一体に形成されている。ボス部２ｆは下向きの開口した凹部２ｇを備えている。
【００１４】
指針キャップ２ｂは遮光性の合成樹脂からなり、本実施形態では、下向きに開放したカップ形状をしている。また、指針キャップ２ｂの一部から指示部本体２ａが露出している。
【００１５】
指示部カバー２ｃは、指示部本体２ａとともに指示部を構成し、指示部本体２ａの側面と下面とを覆うもので、指示部本体２ａの上面が露出している。また、指示部カバー２ｃの先端側には、第１の磁石２ｅが固定されている。本実施形態では、第１の磁石２ｅが指示部カバー２ｃの下面から露出している。第１の磁石はプラスチックマグネットであり、指示部カバー２ｃを樹脂成形するときに、インサート成形によって取り外し不可能な状態で固定される。また、指示部カバー２ｃには、ボス部２ｆの凹部２ｇ内に挿入される筒状部２ｈが一体に設けられている。この筒状部２ｈ内には、軸受２ｄが固定されている。
【００１６】
駆動装置３は、本実施形態では、ステッピングモータである。このステッピングモータ３は、回路基板７の背面側、すなわち、指針２などを設けた側とは反対側の面に固定されている。駆動装置３には、回転軸３ａが指針２側に突出するように設けられている。この回転軸３ａの先端には、棒状の保持体３ｂが固定されている。この保持体３ｂの先端には、第２の磁石３ｃが固定されている。第２の磁石３ｃも第１の磁石２ｅと同様に、プラスチックマグネットである。また、回転軸３ａの中心軸と支持軸５の中心軸は、同一線上であり、第２の磁石３ｃと第１の磁石２ｅとは、回転中心が同一の回転軌道上を移動する。
【００１７】
表示器４は、液晶表示素子を採用したものである。この表示器４は、図示しない光源にを内蔵しており、この光源によって、液晶表示素子が照明されるものである。この表示器４は、指針２が指示する目盛や文字（図示していない）を表示するものである。また、表示器４が表示する項目としては、目盛や文字の他に、車両の警告情報や車両の状態およびナビゲーションの道案内表示などを行うことが可能である。目盛や文字以外の表示項目は、目盛の内側の領域を使って表示するものである。
【００１８】
支持軸５は金属からなり、円柱形状をしている。また、保持部材６に圧入によって固定されている。
【００１９】
保持部材６は、透明な合成樹脂からなる板形状である。保持部材６は、指針２の背後で、かつ表示器４の前方に位置している。本実施形態では、保持部材６には、目盛などの意匠は全く施されていない。
【００２０】
以上のように構成したことによって、ステッピングモータ３の回転軸３ａに固定された第２の磁石３ｃの回動に伴って磁力によって、第１の磁石２ｅが吸引され指針２が回動する。
【００２１】
また、指針２の指針キャップ２ｂ内に磁石を内蔵しないので、指針キャップ２ｂを小型化することが可能となる。
【００２２】
また、指針２の背後に表示器４を設けた場合には、表示器４の表示スペースが狭くなることを抑制することができる。
【００２３】
また、指針キャップ２ｂに第１の磁石２ｅを収納しないので、指針キャップ２ｂの形状の自由度を向上させることができる。
【００２４】
次に本発明の第２実施形態を説明する。なお、前記実施形態と同一および相当個所には同一符号を付してその詳細の説明は省略する。
【００２５】
本実施形態では、保持部材６に中空の筒８を設けてある。筒８は、第１の磁石２ｅの回転軌道に沿うように配置されている。本実施形態では、筒８の両端は、図３中の保持部材６の下側に位置するように配置されている。
【００２６】
筒８内には、筒８内を移動可能な移動体として、ベルト９が設けられている。このベルト９には、第２の磁石９ａが固定されている。ベルト９はリング状である。なお、図示していないが、ベルト９にはギヤを備えている。
【００２７】
駆動装置であるステッピングモータ３は、第１実施形態とは異なり、保持部材６の下側に位置している。そして、ステッピングモータ３の回転軸３ａに歯車３ｄを備えている。この歯車３ｄとベルト９の前記ギヤとが噛み合うことで、ステッピングモータ３の回転をベルト９に伝達して、第２の磁石９ａを筒８内で移動させる。なお、１０はベルト９を支持するものであり、本実施形態ではローラーを用いている。
【００２８】
以上のように構成したことによって、ステッピングモータ３の回転軸３ａに固定された歯車３ｄの回動によって、ベルト９に設けた第２の磁石９ａが移動し、移動する第２の磁石９ａの磁力によって、第１の磁石２ｅが吸引され指針２が回動する。
【００２９】
よって、前記第１実施形態と同様の作用効果を得ることができる。
【００３０】
また、本実施形態では、第１実施形態とは異なり、ステッピングモータ３を保持部材６（表示器４を含む）の外側に配置することができ、表示器４やステッピングモータ３の配置による制約を減らし、設計の自由度が向上させることができる。
【００３１】
なお、前記各実施形態においては、指針２に設けた第１の磁石２ｅは、指示部の先端部分を形成している指示部カバー２ｃに設けていたが、前記各実施形態に限定されるものではなく、指示部の中間部分に設けてもよい。
【００３２】
次に本発明の第３実施形態を説明する。なお、前記各実施形態と同一および相当個所には同一符号を付してその詳細は説明は省略する。
【００３３】
前記各実施形態では、第１の磁石２ｅは指針２の指示部に設けたものであったが、本実施形態では、第１の磁石２ｉを支持軸５をはさんで指針２の指示部の反対側に設けたものである。本実施形態では、指針キャップ２ｂの支持軸５をはさんで指示部とは反対側に、指針キャップ２ｂの円形部分から突出した突出部２ｊを設け、この突出部２ｊ内に固定してある。この第１の磁石２ｉは、指針２の指示部のバランスをとるための錘の役目を果たすこともできる。
【００３４】
以上のように構成したことによって、指針２の指針キャップ２ｂの円形部分に磁石を内蔵しないので、指針キャップ２ｂの円形部分を小型化することが可能となる。
【００３５】
また、指針キャップ２ｂの円形部分に第１の磁石２ｉを収納しないので、指針キャップ２ｂの形状の自由度を向上させることができる。
【図面の簡単な説明】
【００３６】
【図１】本発明の第１実施形態の指針式計器装置の正面図。
【図２】図１中Ｘ−Ｘ線の断面図。
【図３】同発明の第２実施形態の指針式計器装置の正面図。
【図４】図３中Ｙ−Ｙ線の断面図。
【図５】同発明の第３実施形態の指針式計器装置の正面図。
【図６】図５中Ｚ−Ｚ線の断面図。
【符号の説明】
【００３７】
１    指針式計器装置
２    指針
２ｂ  指針キャップ
２ｅ、２ｉ  第１の磁石
３    駆動装置（ステッピングモータ）
３ｂ  保持体
３ｃ  第２の磁石
５    支持軸
６    保持部材
８    筒
９    移動体（ベルト）
９ａ  第２の磁石
【図１】
2008249504.tif 000003
【図２】
2008249504.tif 000004
【図３】
2008249504.tif 000005
【図４】
2008249504.tif 000006
【図５】
2008249504.tif 000007
【図６】
2008249504.tif 000008